(57)【要約】      （修正有）【課題】古新聞紙が容易に袋から脱却する事が無いようにし、持ち運びが容易で、袋の破損の防止できる整理梱包袋を提供する。【解決手段】整理袋本体１は手提部側面２・３及び折部側面４・５並びに角底面２２から形成されているつぎに手提部側面の開放口の内面側に手提げ紐６・７を固定支持出来る手提側紐支持部１２・１３を定着させ手提げ紐６・７を設ける。折部側紐支持部１４・１５、折部側底面紐支持部１６・１７、折部側底面中央紐支持部２１をそれぞれの位置に固着させて折部側結束紐１０・１１を通し一方の結束紐を設ける。つぎに手提側底面紐支持部１８・１９、手提側底面中央紐支持部２０をそれぞれの位置に固着させ、手提側紐支持部それぞれにに設けた嵌通部に手提側結束紐８・９を通す。【選択図】図１
0003106655.tif 000002
【実用新案登録請求の範囲】
【請求項１】
古新聞紙を整理して収納し結束も出来る整理袋。結束用の紐を袋本体の内側の底面から袋本体の内面の四面に添って結束用の紐を設け結束紐を支える支持部を複数設け、支持部は袋本体の内面に粘着等で固定できる粘着部を備えてあり、支持部の紐等を通すところは粘着を要しない要に設けてあり、三角隙間の形態を保持することにより支持部を通した紐が多少の負荷が係っても自在に引き合い及び引き寄せなどが出来紐の長さを調整し結束しやすくする事が出来る。三角隙間の形態を要する支持部に設けた嵌通部に紐などを通す事により梱包がしっかり出来る結束紐を有した整理袋である。袋本体の内面に設けられ立ち上げられている結束用の紐は一定の古新聞紙が重ねられた状態で、結束紐両端の長さなどを結びの作業がしやすくなるように調整が出来嵌通部を通した４本の紐を有し古新聞紙を収納し整理できる袋、また整理後に束ねる事が出来る結束紐で四方から古新聞紙の天面の位置で十文字に結束をすることが出来整理袋の破袋を抑え袋の破損しにくい効果を合せ持ち、さらに整理袋の内側の二面に設けた手提げ用の紐を備えている為、梱包後の持ち運びを容易にした事を特徴とする古新聞紙整理梱包袋。
【考案の詳細な説明】
【技術分野】
【０００１】  本考案は、古新聞紙を収納するための整理袋に袋の底面から四面の内面に添って結束用の４本の紐を設け、古新聞紙を袋に収納し整理して古新聞紙を梱包出来るようにし梱包後持ち運び出来る手提げ紐を備えた古新聞紙整理梱包袋に関するものである。
【背景技術】
【０００２】  購読し読み終えた新聞紙は古新聞紙として片付けられる、片付けるにあたってバラバラにならない様、紐などを用いて結束するか、もしくは回収用紙袋に収納するなどでした。
【考案の開示】
【考案が解決しようとする課題】
【０００３】  従来の新聞紙の収納は、回収用紙袋に古新聞紙等をいれたが持ち運ぶ時は紙袋の底面から抱きかかえるように持たないと、底抜けや破けてしまい収納効果が維持できなかった。また、紙袋の為そのままでは多数の新聞紙を収用紙袋に入れると、破損して更に取扱いがしにくくなった。その為に収用紙袋の外部上からロープなどで縛り、回収袋が破損しても散らばらないように二重の手間がかかる事も有り又、移動の時は梱包の紐の部分を持つ為、手を痛めたりして取扱いがしにくかったなど、前述の欠点を解決しようとするものである。
【課題を解決するための手段】
【０００４】  本考案は、古新聞紙を収納するための整理袋に袋の底面から四面の内面に添って結束用の４本の紐を設け、古新聞紙を袋に収納し整理して古新聞紙を梱包出来るようにし梱包後持ち運び出来る手提げ紐を備えことにより問題点を解決している。
【考案の効果】
【０００５】  上述の様に、本考案の古新聞紙を収納するための整理袋においては、袋の底面から四面の内面に添って結束用の４本の紐を設けてあるゆえに、底面から設けた十文字の結束用の紐に支えられる為に結果的に収納袋の負担が押さえられ整理袋の強度がまし袋の破損から免れる。【０００６】  また、本考案に係る古新聞紙を袋に収納し整理して古新聞紙を梱包出来るように袋の内体から設けた結束紐により、容易に結束をする事が出来、結束紐を別に用意する事も無く、整理袋のまま梱包する事が出来る。【０００７】  さらに、本考案に係る古新聞紙を袋に収納し整理した際において、袋の内体から設けた結束紐で梱包結束したあと、結束紐を持たずに容易に持ち運びが出来る手提げ紐を備え、手を痛める事なく持ち運びや輸送その他移動するに当り片手等にて持ち運ぶ事なども容易に出来るように工夫した手提げ紐を備えている。
【考案を実施するための最良の形態】
【０００８】  整理袋本体の袋の底面から四面の内面に添って結束用の４本の紐を設け、結束用の紐は各紐支持部に設けた嵌通部を通し整理袋本体の袋の内面に添って支持されている。
古新聞紙を整理袋本体の袋に収納整理されたあと、整理袋本体の袋を底面から持ち上げ片付けや回収などの為に移動するにあたり、袋が裂けたりしないように、袋の底から引き出されている結束紐を用いることにより、容易に古新聞紙の天面の位置で十文字に結束をすることが出来る。結束紐は各紐支持部に設けた嵌通部を通し支持されているが、紐支持部に設けた嵌通部は三角形の形状になっている為新聞紙の負荷により紐が固定されにくく、結束に当り紐の左右を簡易に長さを移動調整出来る様に設けた紐支持部が特徴の結束紐付き古新聞紙整理梱包袋となる。
また、古新聞紙を梱包後持ち運び出来る手提げ紐を紐支持部に備えることにより容易に持ち運びが出来片手で容易に移動でき底抜けや袋裂けによる問題もなくなる。
【実施例】
【０００９】  以下、添付図面に従って一実施例を説明する。整理袋本体１は紙等で適宣資材で形成された整理袋本体１である。整理袋本体１は手提部側面２・３及び折部側面４・５並びに角底面２２から形成されている。つぎに手提部側面２・３の開放口の内面側に手提げ紐６・７を固定支持出来る手提側紐支持部１２・１３を定着させ手提げ紐６・７を設ける。
折部側紐支持部１４・１５、折部側底面紐支持部１６・１７、折部側底面中央紐支持部２１をそれぞれの位置に固着させて折部側結束紐１０・１１を通し一方の結束紐を設ける。つぎに手提側底面紐支持部１８・１９、手提側底面中央紐支持部２０をそれぞれの位置に固着させ、手提側紐支持部１２・１３それぞれにに設けた嵌通部に手提側結束紐８・９を通す。【００１０】  本考案の一実施例は上述のごとき構成からなるものであるから、古新聞紙を整理袋本体の袋に収納整理されたあと、古新聞紙の天面の位置で十文字に結束をし、結束後手提げ紐を持ちいて古新聞紙が容易に袋から脱却する事が無いのはもちろんであるが堅固に結束され、片手でも容易に持ち運ぶ事が出来る古新聞紙整理梱包袋。
【図面の簡単な説明】
【００１０】
【図１】  本考案の斜視図
【図２】  本考案の手提側紐支持部状態を示す斜視図
【図３】  本考案の手提側紐支持部状態を示す斜視図
【図４】  本考案の折部側紐支持部状態を示す斜視図
【図５】  本考案の折部側紐支持部状態を示す斜視図
【図６】  本考案の実施例紐支持部状態を示す斜視図
【図７】  本考案の本体底面状態を示す斜視図
【図８】  本考案の折畳み使用状態を示す斜視図
【図９】  本考案の折畳み使用状態を示す斜視図
【図１０】  本考案の使用状態を示す斜視図
【符号の説明】
【００１１】  １  整理袋本体
２  手提部側面
３  手提部側面
４  折部側面
５  折部側面
６  手提げ紐
７  手提げ紐
８  手提側結束紐
９  手提側結束紐
１０  折部側結束紐
１１  折部側結束紐
１２  手提側紐支持部
１３  手提側紐支持部
１４  折部側紐支持部
１５  折部側紐支持部
１６  折部側底面紐支持部
１７  折部側底面紐支持部
１８  手提側底面紐支持部
１９  手提側底面紐支持部
２０  手提側底面中央紐支持部
２１  折部側底面中央紐支持部
２２  角底面
２３  張合わせ接着面
２４  嵌通部
２５  粘着部
２６  結束紐
２７  古新聞紙
【図１】
0003106655.tif 000003
【図２】
0003106655.tif 000004
【図３】
0003106655.tif 000005
【図４】
0003106655.tif 000006
【図５】
0003106655.tif 000007
【図６】
0003106655.tif 000008
【図７】
0003106655.tif 000009
【図８】
0003106655.tif 000010
【図９】
0003106655.tif 000011
【図１０】
0003106655.tif 000012
【手続補正書】
【提出日】平成16年8月12日(2004.8.12)
【手続補正１】
【補正対象書類名】実用新案登録請求の範囲
【補正対象項目名】全文
【補正方法】変更
【補正の内容】
【実用新案登録請求の範囲】
【請求項１】
（１）古新聞紙を整理袋に収納し袋と供に梱包結束も出来る整理袋。
（２）整理袋本体の内側の底面から袋本体の内面の四面に添って結束紐を支える支持部を複数設け、手提側紐支持部は手提げ用の紐と結束紐の支持部も兼ねている。
（３）各支持部の裏面には、袋本体の内側表面に粘着等で固定できる粘着部を支持部両端面部に設けてあり、支持部の紐等を通すところの中央部面は粘着を設けていない、すなわち支持部の形態は三角隙間の形態を保持するように折線で三角枠が出来るように折線を設けてあり紐等を通すところは粘着を要しないように設けてある。
（４）三角隙間の支持部を設ける事により三角隙間の支持部を通った紐は多少の負荷が係っても、自在に紐の長さを調整することが出来る為、袋と供に梱包結束しやすくなる。
（５）ゆえに、三角隙間の形態を要する支持部を設け、嵌通部に紐などを通す事により、紐の負荷を抑え容易に梱包結束が出来る。
（６）袋本体の内面に設けられ立ち上げられている結束用の紐は一定の古新聞紙が重ねられた状態で、結束紐両端の長さなどを結びの作業がしやすくなるように調整が出来、嵌通部を通した４本の紐を有し古新聞紙を収納し整理できる。
（７）整理後に束ねる事が出来る結束紐で、四方から古新聞紙の天面の位置で十文字に結束し整理袋の破袋しにくい効果を持たらせる。
（８）また整理袋の内側の上部二面に設けた手提側紐支持部の手提げ用の紐を備え設けている為、梱包後の持ち運びも容易である。
以上の構成からなる事を特徴とする古新聞紙整理梱包袋。